【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
情報処理装置であって、
データベースに登録するデータを取得する登録データ取得手段と、
複数のデータ圧縮方法のそれぞれに対して優先度を設定する設定手段と、
前記設定手段により設定された優先度が高い順に前記複数のデータ圧縮方法から１つのデータ圧縮方法を選択する選択手段と、
前記登録データ取得手段が取得したデータを前記選択手段が選択した前記１つのデータ圧縮方法で圧縮する圧縮手段と、
前記データベースに登録可能なデータサイズを取得するデータサイズ取得手段と、
前記選択手段が選択した前記１つのデータ圧縮方法で前記圧縮手段が圧縮した圧縮データのサイズが前記データサイズ取得手段が取得したデータサイズを超えていない場合には、前記圧縮データを前記データベースに登録する登録手段とを備え、
前記選択手段が選択した前記１つのデータ圧縮方法で前記圧縮手段が圧縮した圧縮データのサイズが前記データサイズ取得手段が取得したデータサイズを超えている場合には、前記選択手段は、前記１つのデータ圧縮方法の次に優先度が高いデータ圧縮方法を前記複数のデータ圧縮方法から選択し、前記圧縮手段は、前記登録データ取得手段が取得したデータを前記１つのデータ圧縮方法の次に優先度が高いデータ圧縮方法で圧縮し、前記登録手段は、前記登録データ取得手段が取得したデータを前記１つのデータ圧縮方法の次に優先度が高いデータ圧縮方法で圧縮した圧縮データのサイズが前記データサイズ取得手段が取得したデータサイズを超えていない場合には、該圧縮データを前記データベースに登録する
ことを特徴とする情報処理装置。
【請求項２】
前記登録データ取得手段は、記録媒体上に記録されている情報を画像として読み取ることにより、前記データベースに登録するデータを取得することを特徴とする請求項１に記載の情報処理装置。
【請求項３】
情報処理装置が行う情報処理方法であって、
登録データ取得手段が、データベースに登録するデータを取得する登録データ取得工程と、
設定手段が、複数のデータ圧縮方法のそれぞれに対して優先度を設定する設定工程と、
選択手段が、前記設定工程で設定された優先度が高い順に前記複数のデータ圧縮方法から１つのデータ圧縮方法を選択する選択工程と、
圧縮手段が、前記登録データ取得工程で取得したデータを前記選択工程で選択した前記１つのデータ圧縮方法で圧縮する圧縮工程と、
データサイズ取得手段が、前記データベースに登録可能なデータサイズを取得するデータサイズ取得工程と、
登録手段が、前記選択工程で選択した前記１つのデータ圧縮方法で前記圧縮工程で圧縮した圧縮データのサイズが前記データサイズ取得工程で取得したデータサイズを超えていない場合には、前記圧縮データを前記データベースに登録する登録工程とを備え、
前記選択工程で選択した前記１つのデータ圧縮方法で前記圧縮工程で圧縮した圧縮データのサイズが前記データサイズ取得工程で取得したデータサイズを超えている場合には、前記選択工程では、前記１つのデータ圧縮方法の次に優先度が高いデータ圧縮方法を前記複数のデータ圧縮方法から選択し、前記圧縮工程では、前記登録データ取得工程で取得したデータを前記１つのデータ圧縮方法の次に優先度が高いデータ圧縮方法で圧縮し、前記登録工程では、前記登録データ取得工程で取得したデータを前記１つのデータ圧縮方法の次に優先度が高いデータ圧縮方法で圧縮した圧縮データのサイズが前記データサイズ取得工程で取得したデータサイズを超えていない場合には、該圧縮データを前記データベースに登録する
ことを特徴とする情報処理方法。
【請求項４】
前記登録データ取得工程では、記録媒体上に記録されている情報を画像として読み取ることにより、前記データベースに登録するデータを取得することを特徴とする請求項３に記載の情報処理方法。
【請求項５】
コンピュータを、請求項１又は２に記載の情報処理装置が有する各手段として機能させるためのコンピュータプログラム。
【手続補正２】
【補正対象書類名】明細書
【補正対象項目名】０００７
【補正方法】変更
【補正の内容】
【０００７】
即ち、情報処理装置であって、
データベースに登録するデータを取得する登録データ取得手段と、
複数のデータ圧縮方法のそれぞれに対して優先度を設定する設定手段と、
前記設定手段により設定された優先度が高い順に前記複数のデータ圧縮方法から１つのデータ圧縮方法を選択する選択手段と、
前記登録データ取得手段が取得したデータを前記選択手段が選択した前記１つのデータ圧縮方法で圧縮する圧縮手段と、
前記データベースに登録可能なデータサイズを取得するデータサイズ取得手段と、
前記選択手段が選択した前記１つのデータ圧縮方法で前記圧縮手段が圧縮した圧縮データのサイズが前記データサイズ取得手段が取得したデータサイズを超えていない場合には、前記圧縮データを前記データベースに登録する登録手段とを備え、
前記選択手段が選択した前記１つのデータ圧縮方法で前記圧縮手段が圧縮した圧縮データのサイズが前記データサイズ取得手段が取得したデータサイズを超えている場合には、前記選択手段は、前記１つのデータ圧縮方法の次に優先度が高いデータ圧縮方法を前記複数のデータ圧縮方法から選択し、前記圧縮手段は、前記登録データ取得手段が取得したデータを前記１つのデータ圧縮方法の次に優先度が高いデータ圧縮方法で圧縮し、前記登録手段は、前記登録データ取得手段が取得したデータを前記１つのデータ圧縮方法の次に優先度が高いデータ圧縮方法で圧縮した圧縮データのサイズが前記データサイズ取得手段が取得したデータサイズを超えていない場合には、該圧縮データを前記データベースに登録する
ことを特徴とする。
【手続補正３】
【補正対象書類名】明細書
【補正対象項目名】０００９
【補正方法】変更
【補正の内容】
【０００９】
即ち、情報処理装置が行う情報処理方法であって、
登録データ取得手段が、データベースに登録するデータを取得する登録データ取得工程と、
設定手段が、複数のデータ圧縮方法のそれぞれに対して優先度を設定する設定工程と、
選択手段が、前記設定工程で設定された優先度が高い順に前記複数のデータ圧縮方法から１つのデータ圧縮方法を選択する選択工程と、
圧縮手段が、前記登録データ取得工程で取得したデータを前記選択工程で選択した前記１つのデータ圧縮方法で圧縮する圧縮工程と、
データサイズ取得手段が、前記データベースに登録可能なデータサイズを取得するデータサイズ取得工程と、
登録手段が、前記選択工程で選択した前記１つのデータ圧縮方法で前記圧縮工程で圧縮した圧縮データのサイズが前記データサイズ取得工程で取得したデータサイズを超えていない場合には、前記圧縮データを前記データベースに登録する登録工程とを備え、
前記選択工程で選択した前記１つのデータ圧縮方法で前記圧縮工程で圧縮した圧縮データのサイズが前記データサイズ取得工程で取得したデータサイズを超えている場合には、前記選択工程では、前記１つのデータ圧縮方法の次に優先度が高いデータ圧縮方法を前記複数のデータ圧縮方法から選択し、前記圧縮工程では、前記登録データ取得工程で取得したデータを前記１つのデータ圧縮方法の次に優先度が高いデータ圧縮方法で圧縮し、前記登録工程では、前記登録データ取得工程で取得したデータを前記１つのデータ圧縮方法の次に優先度が高いデータ圧縮方法で圧縮した圧縮データのサイズが前記データサイズ取得工程で取得したデータサイズを超えていない場合には、該圧縮データを前記データベースに登録する
ことを特徴とする。
【手続補正４】
【補正対象書類名】明細書
【補正対象項目名】００１８
【補正方法】変更
【補正の内容】
【００１８】
１０６はデータ読み取り部で、データベース１１１に登録しようとするデータを取得する（この場合、読み取りにより取得する）処理を行う。